(57)【要約】【課題】コルゲートチューブ取り付け時の作業者の負担が少なく、コルゲートチューブが抜け難いプロテクタおよびこれを備えたワイヤハーネスを提供する。【解決手段】プロテクタ本体１２にはコルゲートチューブ５０の端部を固定するコルゲートチューブ固定部１８を有し、コルゲートチューブ固定部１８は、プロテクタ本体１２の両側面部１６ａ、１６ｂの各内面より突出する突出部２０ａ、２０ｂを介し各内面との間にギャップ３０を有してプロテクタ端部に向けて延在する一対のアーム部２２ａ、２２ｂと、各アーム部より各側面部に向かって突出する円弧状凸出面２５ａ、２５ｂ、２７ａ、２７ｂを有する複数の凸起部２４ａ、２４ｂ、２６ａ、２６ｂとを有し、コルゲートチューブをプロテクタ本体の外方からギャップに収容したときに、一対のアーム部のそれぞれに設けられた複数の凸起部がコルゲートチューブの複数の環状凸部５２の内面に密着する。【選択図】図１
2017220967.tif 000002
【特許請求の範囲】
【請求項１】
電線束に外装されたコルゲートチューブを固定するとともに前記電線束を保護するプロテクタであって、
底面部と前記底面部の両側端より一体に延在する一対の側面部とを有するプロテクタ本体と、
前記プロテクタ本体の上部開口を閉じる蓋体と、
前記プロテクタ本体と前記蓋体とに配設され前記蓋体を閉蓋状態にロックするロック手段と、を備え、
前記プロテクタ本体には前記コルゲートチューブの端部を固定する固定手段を有し、
前記固定手段は、
前記プロテクタ本体の前記両側面部の各内面より突出する突出部を介し前記各内面との間にギャップを有してプロテクタ端部に向けて延在する一対のアーム部と、
前記各アーム部より前記各側面部に向かって突出する円弧状凸出面を有する複数の凸起部と、を有し、
前記コルゲートチューブを前記プロテクタ本体の外方から前記ギャップに収容したときに、前記一対のアーム部のそれぞれに設けられた前記複数の凸起部が前記コルゲートチューブの複数の環状凸部の内面に密着するようになっていることを特徴とするプロテクタ。
【請求項２】
前記プロテクタの両端部にそれぞれ前記固定手段を備えていることを特徴とする請求項１に記載のプロテクタ。
【請求項３】
前記プロテクタの一方の端部に前記固定手段を備え、他方の端部に、前記プロテクタ本体の前記底面部より延び出した板状片を有し、前記板状片上に載置された前記電線束がテープ巻きで固定されることを特徴とする請求項１に記載のプロテクタ。
【請求項４】
電線束と、前記電線束に外装されたコルゲートチューブと、請求項１ないし３のいずれか１項に記載のプロテクタと、を有し、前記電線束が前記プロテクタに挿通され、かつ前記コルゲートチューブが前記プロテクタに固定されていることを特徴とするワイヤハーネス。
【発明の詳細な説明】
【技術分野】
【０００１】
本発明は、プロテクタおよびこれを備えたワイヤハーネスに関する。
【背景技術】
【０００２】
従来、車両に配索される電線束を保護するために各種プロテクタが用いられている。プロテクタの前後では、電線束はコルゲートチューブなどで保護されることも多い。このような場合、プロテクタとその前後のコルゲートチューブとの間で電線束を切れ目なく保護するために、電線束に外装されたコルゲートチューブを固定する構造を、プロテクタの端部に設けることが一般に行われている（例えば、特許文献１参照）。
【０００３】
特許文献１には、図７に示すように、ワイヤハーネスを構成する電線束を保護し、電線束を挿通したコルゲートチューブが装着されるプロテクタ本体１１２と、プロテクタ本体１１２の上方開口を覆う蓋体１４０とから成るプロテクタ１１０が開示されている。プロテクタ１１０のハーネス引出し端部１２５の内面には、コルゲートチューブの環状凹部を係止することにより長手方向の移動を規制する突条部１３５と、ハーネス引出し端部１２５の両側面部内面に突設されてコルゲートチューブの外周に当接することにより上方開口側への移動を規制する抜け止め用突起１３７とが設けられている。
【先行技術文献】
【特許文献】
【０００４】
【特許文献１】特開２００４−２２９３５１号公報
【発明の概要】
【発明が解決しようとする課題】
【０００５】
しかしながら、特許文献１に記載のプロテクタにあっては、突条部１３５がコルゲートチューブの環状凹部に外側から当接されて長手方向の移動を抑える構造である。このため、コルゲートチューブ内の電線収容率が低いと、コルゲートチューブに外方向の引っ張り負荷が掛けられた場合に、コルゲートチューブが内側に変形してプロテクタから抜けてしまうことがあった。
【０００６】
また、特許文献１では、プロテクタ本体１１２の上部に設けられた抜け止め用突起１３７同士の距離が、コルゲートチューブの環状凹部の外径よりも小さくなっている。このため、コルゲートチューブをプロテクタ１１０に挿入する際、作業者が大きな負荷を掛けて相対する抜け止め用突起１３７の間を通過させなければならなかった。このとき、コルゲートチューブを抜け止め用突起１３７で潰しながら、プロテクタ１１０に挿入することとなり、作業者に負担であった。
【０００７】
本発明は、上述のような課題を解決するためになされたもので、コルゲートチューブ取り付け時の作業者の負担が少なく、取り付けたコルゲートチューブがプロテクタから抜け難いプロテクタおよびこれを備えたワイヤハーネスを提供することを目的とする。
【課題を解決するための手段】
【０００８】
本発明に係るプロテクタは、上記目的達成のため、電線束に外装されたコルゲートチューブを固定するとともに前記電線束を保護するプロテクタであって、底面部と前記底面部の両側端より一体に延在する一対の側面部とを有するプロテクタ本体と、前記プロテクタ本体の上部開口を閉じる蓋体と、前記プロテクタ本体と前記蓋体とに配設され前記蓋体を閉蓋状態にロックするロック手段と、を備え、前記プロテクタ本体には前記コルゲートチューブの端部を固定する固定手段を有し、前記固定手段は、前記プロテクタ本体の前記両側面部の各内面より突出する突出部を介し前記各内面との間にギャップを有してプロテクタ端部に向けて延在する一対のアーム部と、前記各アーム部より前記各側面部に向かって突出する円弧状凸出面を有する複数の凸起部と、を有し、前記コルゲートチューブを前記プロテクタ本体の外方から前記ギャップに収容したときに、前記一対のアーム部のそれぞれに設けられた前記複数の凸起部が前記コルゲートチューブの複数の環状凸部の内面に密着するようになっている。
【０００９】
上述のように、本発明に係るプロテクタでは、コルゲートチューブをプロテクタ本体の外方からギャップに収容したときに、一対のアーム部のそれぞれに設けられた複数の凸起部がコルゲートチューブの複数の環状凸部の内面に密着するようになっている。
【００１０】
このため、コルゲートチューブに外方向に引張負荷が掛かった場合に、アーム部に設けられた凸起部がコルゲートチューブの環状凸部に内側から密着しているので、コルゲートチューブが内側に変形することができず、プロテクタから抜け難くなっている。
【００１１】
また、上述のように、本発明に係るプロテクタの固定手段は、プロテクタ本体の両側面部の各内面より突出する突出部を介し各内面との間にギャップを有してプロテクタ端部に向けて延在する一対のアーム部と、各アーム部より各側面部に向かって突出する円弧状凸出面を有する複数の凸起部と、を有している。
【００１２】
すなわち、片持ち構造のアーム部に、円弧状凸出面を有する複数の凸起部が設けられている。これにより、複数の凸起部はアーム部の弾性変形により各側面部より離れる方向、すなわちギャップが拡がる方向に移動可能となっている。このため、作業者がコルゲートチューブをプロテクタに取り付ける際に、作業手順が増えることもなく、図７に示す従来の構造のものよりも負担が少なくなっている。
【００１３】
したがって、本発明に係るプロテクタは、コルゲートチューブ取り付け時の作業者の負担が少なく、取り付けたコルゲートチューブがプロテクタから抜け難くなっている。
【００１４】
また、本発明に係るプロテクタは、前記プロテクタの両端部にそれぞれ前記固定手段を備えた構成としてもよい。
【００１５】
この構成により、プロテクタ両端部にそれぞれコルゲートチューブが固定される構成のワイヤハーネスに好適に適用できる。
【００１６】
また、本発明に係るプロテクタは、前記プロテクタの一方の端部に前記固定手段を備え、他方の端部に、前記プロテクタ本体の前記底面部より延び出した板状片を有し、前記板状片上に載置された前記電線束がテープ巻きで固定される構成としてもよい。
【００１７】
この構成により、一方の端部でコルゲートチューブをプロテクタに固定するとともに、他方の端部で電線束をプロテクタに固定することができるので、コルゲートチューブおよび電線束の長手方向の移動（ずれ）を防止できる。
【００１８】
また、本発明に係るワイヤハーネスは、電線束と、前記電線束に外装されたコルゲートチューブと、上記いずれかに記載のプロテクタと、を有し、前記電線束が前記プロテクタに挿通され、かつ前記コルゲートチューブが前記プロテクタに固定された構成である。
【発明の効果】
【００１９】
本発明によれば、コルゲートチューブ取り付け時の作業者の負担が少なく、取り付けたコルゲートチューブがプロテクタから抜け難いプロテクタおよびこれを備えたワイヤハーネスを提供することができる。
【図面の簡単な説明】
【００２０】
【図１】本発明の第１の実施の形態に係るプロテクタの要部斜視図である。
【図２】（ａ）は本発明の第１の実施の形態に係るプロテクタの要部平面図であり、（ｂ）は要部正面図である。
【図３】図２（ａ）のＡ−Ａ断面図である。
【図４】図２（ｂ）のＢ−Ｂ断面図である。
【図５】本発明の第１の実施の形態に係るプロテクタにコルゲートチューブを固定する様子を示し、（ａ）は固定前の状態を示す要部平面図であり、（ｂ）は固定後の状態を示す要部断面図である。
【図６】（ａ）は本発明の第２の実施形態に係るプロテクタの要部平面図であり、（ｂ）は本発明の第３の実施形態に係るプロテクタの要部平面図である。
【図７】従来のプロテクタの要部斜視図である。
【発明を実施するための形態】
【００２１】
以下、本発明の実施の形態について、図面を参照して説明する。
【００２２】
［第１の実施形態］
本発明の第１の実施形態に係るプロテクタ１０は、電線束６０に外装されたコルゲートチューブ５０を固定するとともに電線束６０を保護するものである。
【００２３】
図１は、本発明の第１の実施の形態に係るプロテクタ１０の要部斜視図である。図１に示すように、プロテクタ１０は、プロテクタ本体１２と、蓋体４０と、ロック手段であるロック凸部４２およびロック凹部３８とを有している。プロテクタ本体１２は、底面部１４と、底面部１４の両側端より一体に延在する一対の側面部１６ａ、１６ｂとを有している。蓋体４０は、プロテクタ本体１２の上部開口を閉じるようになっている。
【００２４】
本実施形態のプロテクタ１０は、樹脂製の一体成形品であり、蓋体４０はヒンジ４４を介してプロテクタ本体１２に一体に設けられているが、蓋体４０をプロテクタ本体１２とは別体で構成してもよい。また、本実施形態では、蓋体４０には電線束６０を上方から支持する構造は設けられていないが、図７に示すような突条のリブを蓋体４０に設けるようにしてもよい。
【００２５】
ロック手段であるロック凹部３８およびロック凸部４２は、それぞれプロテクタ本体１２と蓋体４０とに配設され、蓋体４０を閉蓋状態にロックするようになっている。ロック凸部４２の先端部には爪部４２ａが形成され、ロック時にはこの爪部４２ａがロック凹部３８に形成された貫通孔の下端部に解除可能に係合するようになっている。
【００２６】
また、底面部１４には、後で説明するコルゲートチューブ固定部１８の下方に開口部３２ａ、３２ｂが設けられている。この開口部３２ａ、３２ｂはプロテクタ１０の成形工程で型抜き用に形成されたものである。
【００２７】
コルゲートチューブ５０は、環状凸部５２と環状凹部５４とが周期的に形成されており、また、長手方向にスリット５６が形成され、このスリット５６から電線束６０をコルゲートチューブ５０内に収容できるようになっている。
【００２８】
プロテクタ１０は、さらに、プロテクタ本体１２に、コルゲートチューブ５０の端部を固定する固定手段であるコルゲートチューブ固定部１８を有している。具体的には、コルゲートチューブ固定部１８は、一対のアーム部２２ａ、２２ｂと複数の凸起部２４ａ、２４ｂ、２６ａ、２６ｂとを有している。
【００２９】
図２（ａ）は、本実施形態に係るプロテクタ１０の一端部におけるプロテクタ本体１２の平面図であり、図２（ｂ）はその正面図である。
【００３０】
図２（ａ）に示すように、一対のアーム部２２ａ、２２ｂは、プロテクタ本体１２の両側面部１６ａ、１６ｂの各内面より突出する突出部２０ａ、２０ｂを介して、該各内面との間にギャップ３０を有してプロテクタ端部に向けて延在している。
【００３１】
図２（ａ）および図２（ｂ）に示すように、複数の凸起部２４ａ、２４ｂ、２６ａ、２６ｂは、各アーム部２２ａ、２２ｂより各側面部１６ａ、１６ｂに向かって突出する円弧状凸出面２５ａ、２５ｂ、２７ａ、２７ｂを有している。本実施形態では、アーム部２２ａに２つの凸起部２４ａ、２６ａが設けられ、アーム部２２ｂに２つの凸起部２４ｂ、２６ｂが設けられているが、各アーム部２２ａ、２２ｂに設けられる凸起部の個数は２個に限定されず、１個でも３個以上でもよい。
【００３２】
図３は図２（ａ）のＡ−Ａ断面図である。
図３に示すように、凸起部２４ａの円弧状凸出面２５ａと、凸起部２４ｂの円弧状凸出面２５ｂとは、１つの仮想円７０の円周の一部を構成している。この仮想円７０の直径Ｄ１は、コルゲートチューブ５０の環状凸部５２ｂの内径に略等しいか、あるいは若干小さく設定されている。
【００３３】
また、凸起部２４ａの円弧状凸出面２５ａと、それに対応する側面部１６ａの内面との間には、ギャップ３０が形成されている。同様に、凸起部２４ｂの円弧状凸出面２５ｂと、それに対応する側面部１６ｂの内面との間には、ギャップ３０が形成されている。同様に、仮想円７０と底面部１４の内面との間にもギャップ３０と同程度のスペースが形成されている。これらにより、コルゲートチューブ５０がギャップ３０に容収できるようになっている。
【００３４】
図４は図２（ｂ）のＢ−Ｂ断面図であり、コルゲートチューブ固定部１８の断面を示す。
図４に示すように、各凸起部２４ａ、２６ａの基部の幅Ｌ１は、コルゲートチューブ５０の環状凸部５２ａ、５２ｂの基部の幅に略等しくなっている。また、凸起部２４ａと凸起部２６ａとの間の間隔Ｌ２は、コルゲートチューブ５０の環状凹部５４ａの幅に略等しくなっている。
【００３５】
また、凸起部２４ａ、２６ａの円弧状凸出面２５ａ、２７ａには、プロテクタ端部側にテーパ部２９が形成されている。これにより、コルゲートチューブ５０をギャップ３０に挿入し易くなっている。
【００３６】
また、アーム部２２ａには段差部２８ａが設けられており、コルゲートチューブ５０をギャップ３０に挿入する際のストッパーとして機能するようになっている。
【００３７】
次に、本実施の形態に係るプロテクタ１０にコルゲートチューブ５０を固定する方法を説明する。
【００３８】
図５（ａ）は、プロテクタ１０にコルゲートチューブ５０を固定する固定前の状態を示す要部平面図であり、図５（ｂ）は固定後の状態を示す要部断面図である。
【００３９】
図５（ａ）に示すように、電線束６０にコルゲートチューブ５０を外装した状態で、コルゲートチューブ５０をプロテクタ本体１２の外方からギャップ３０に挿入する。コルゲートチューブ５０は、その環状凸部５２の外径が、プロテクタ本体１２の両側面部１６ａ、１６ｂの内面間の間隔に略等しいか、若干小さくなっている。
【００４０】
図５（ａ）に示すコルゲートチューブ５０を矢印方向に押し入れると、図５（ｂ）に示す状態になる。図５（ｂ）では、コルゲートチューブ５０がプロテクタ本体１２のギャップ３０に収容されている。このとき、一対のアーム部２２ａ、２２ｂに設けられた複数の凸起部２４ａ、２４ｂ、２６ａ、２６ｂが、コルゲートチューブ５０の環状凸部５２ａ、５２ｂの内面に密着するか、あるいは僅かな隙間をあけて内側から支持している。これにより、コルゲートチューブ５０がプロテクタ１０のギャップ３０に固定される。
【００４１】
各アーム部２２ａ、２２ｂは片持ち構造であるので、弾性復帰自在に各側面部１６ａ、１６ｂから離れる方向にある程度動くことができる。このため、作業者が大きな負荷をかけることなく、凸起部２４ａ、２４ｂの円弧状凸出面２５ａ、２５ｂと各側面部１６ａ、１６ｂとの間のギャップ３０を拡げることができ（図４参照）、コルゲートチューブ５０の取り付け作業が容易になる。
【００４２】
ギャップ３０の拡大は、コルゲートチューブ５０の挿入動作によって強制的に行われるが、作業者がプロテクタ本体１２の上方から両方のアーム部２２ａ、２２ｂを指等で摘んで挟むことによって行ってもよい。あるいは、作業者がプロテクタ本体１２の下方から開口部３２ａ、３２ｂを通して両方のアーム部２２ａ、２２ｂを指等で摘んで挟むことによって行ってもよい。
【００４３】
また、コルゲートチューブ５０は、プロテクタ本体１２の正面側からギャップ３０に差し込むが、コルゲートチューブ５０をスリット５６で拡げて、プロテクタ本体１２の上部からギャップ３０に差し込むようにしてもよい。
【００４４】
次に、作用・効果について説明する。
上述したように、本発明の第１の実施形態に係るプロテクタ１０は、コルゲートチューブ５０をプロテクタ本体１２の外方からギャップ３０に収容したときに、一対のアーム部２２ａ、２２ｂのそれぞれに設けられた複数の凸起部２４ａ、２４ｂ、２６ａ、２６ｂがコルゲートチューブ５０の複数の環状凸部５２ａ、５２ｂの内面に密着するようになっている。
【００４５】
このため、コルゲートチューブ５０に外方向に引張負荷が掛かった場合に、アーム部に設けられた凸起部２４ａ、２４ｂ、２６ａ、２６ｂがコルゲートチューブ５０の環状凸部５２ａ、５２ｂに内側から密着しているので、電線収容率に関わらず、コルゲートチューブ５０が内側に変形することができず、プロテクタ１０から抜け難くなっている。
【００４６】
また、本発明の第１の実施形態に係るコルゲートチューブ固定部１８は、プロテクタ本体１２の両側面部１６ａ、１６ｂの各内面より突出する略Ｕ字状の突出部２０ａ、２０ｂを介し各内面との間にギャップ３０を有してプロテクタ端部に向けて延在する一対のアーム部２２ａ、２２ｂと、各アーム部２２ａ、２２ｂより各側面部１６ａ、１６ｂに向かって突出する円弧状凸出面２５ａ、２５ｂ、２７ａ、２７ｂを有する複数の凸起部２４ａ、２４ｂ、２６ａ、２６ｂとを有している。
【００４７】
すなわち、片持ち構造のアーム部２２ａ、２２ｂに、円弧状凸出面２５ａ、２５ｂ、２７ａ、２７ｂを有する複数の凸起部２４ａ、２４ｂ、２６ａ、２６ｂが設けられている。これにより、各アーム部２２ａ、２２ｂは、弾性復帰自在に各側面部１６ａ、１６ｂから離れる方向にある程度動くことができる。これにより、作業者は大きな負荷をかけることなく、凸起部２４ａ、２４ｂの円弧状凸出面２５ａ、２５ｂと各側面部１６ａ、１６ｂとの間のギャップ３０、および凸起部２６ａ、２６ｂの円弧状凸出面２７ａ、２７ｂと各側面部１６ａ、１６ｂとの間のギャップ３０を拡げることができる。よって、作業者がコルゲートチューブ５０をプロテクタ１０に固定する際に、作業手順を増やすことなく、図７に示す従来の構造のものよりも負担が少なくなっている。
【００４８】
したがって、本発明の第１の実施形態に係るプロテクタ１０は、コルゲートチューブ取り付け時の作業者の負担が少なく、取り付けたコルゲートチューブ５０がプロテクタ１０から抜け難くなっている。
【００４９】
［第２の実施形態］
本発明の第２の実施形態に係るプロテクタを説明する。
【００５０】
図６（ａ）は第２の実施形態に係るプロテクタ本体１２Ａの平面図である。
図６（ａ）に示すように、第２の実施形態に係るプロテクタは、第１の実施形態に係るプロテクタ１０の両端部、すなわちプロテクタ本体１２Ａの両端部１２ａ、１２ｂにそれぞれ固定手段であるコルゲートチューブ固定部１８を備えた構成である。
【００５１】
この構成により、プロテクタ両端部にそれぞれコルゲートチューブが固定される構成のワイヤハーネスに好適に適用できる。
【００５２】
［第３の実施形態］
本発明の第３の実施形態に係るプロテクタを説明する。
【００５３】
図６（ｂ）は第３の実施形態に係るプロテクタ本体１２Ｂの平面図である。
図６（ｂ）に示すように、第３の実施形態に係るプロテクタは、第１の実施形態に係るプロテクタ１０の一方の端部に固定手段であるコルゲートチューブ固定部１８を備え、他方の端部に、プロテクタ本体１２の底面部１４より延び出した板状片１５を有し、板状片１５上に載置された電線束がテープ巻きで固定される構成である。
【００５４】
この構成により、一方の端部でコルゲートチューブをプロテクタに固定するとともに、他方の端部で電線束をプロテクタに固定することができるので、コルゲートチューブおよび電線束の長手方向の移動（ずれ）が防止できる。
【００５５】
次に、本発明の別の実施形態に係るワイヤハーネス１を説明する。
図１は、ワイヤハーネス１の構成を分解して示している。
本実施形態に係るワイヤハーネス１は、電線束６０と、該電線束６０に外装されたコルゲートチューブ５０と、第１の実施形態に係るプロテクタ１０と、を有し、電線束６０がプロテクタ１０に挿通され、かつコルゲートチューブ５０がプロテクタ１０に固定されている。第１の実施形態に係るプロテクタ１０を用いる代わりに、第２または第３の実施形態に係るプロテクタを用いてもよい。
【００５６】
この構成により、本実施形態に係るワイヤハーネス１は、プロテクタ１０について上述した作用効果と同じ作用効果を奏することができる。
【００５７】
本発明は、コルゲートチューブ取り付け時の作業者の負担が少なく、取り付けたコルゲートチューブがプロテクタから抜け難いという効果を有し、プロテクタおよびこれを備えたワイヤハーネスの全般に有用である。
【符号の説明】
【００５８】
１  ワイヤハーネス
１０  プロテクタ
１２  プロテクタ本体
１４  底面部
１５  板状片
１６ａ、１６ｂ  側面部
１８  コルゲートチューブ固定部（固定手段）
２０ａ、２０ｂ  突出部
２２ａ、２２ｂ  アーム部
２４ａ、２４ｂ、２６ａ、２６ｂ  凸起部
２５ａ、２５ｂ、２７ａ、２７ｂ  円弧状凸出面
３０  ギャップ
３８  ロック凹部（ロック手段）
４０  蓋体
４２  ロック凸部（ロック手段）
５０  コルゲートチューブ
５２  環状凸部
６０  電線束
【図１】
2017220967.tif 000003
【図２】
2017220967.tif 000004
【図３】
2017220967.tif 000005
【図４】
2017220967.tif 000006
【図５】
2017220967.tif 000007
【図６】
2017220967.tif 000008
【図７】
2017220967.tif 000009